(57)【要約】【課題】図面情報が直接又は複写されて外部に持ち出された場合でも、図面情報の全てが漏洩することを防止することができる記録媒体を提供する。【解決手段】記録媒体１は、図面情報の一部の情報である図形情報２が記載された用紙３と、用紙３に貼付けられ、図面情報の他の一部の情報が記録されたＩＣタグ４と、を備える。【選択図】    図１
2007179440.tif 000002
【特許請求の範囲】
【請求項１】
図面情報の一部の情報である図形情報が記載された用紙と、
前記用紙に貼付けられ、前記図面情報の他の一部の情報が記録されたＩＣタグと、
を備えることを特徴とする記録媒体。
【請求項２】
前記ＩＣタグに記録される前記図面情報の他の一部の情報は、前記図形情報中に含まれる各部品についての構成に関する構成情報であることを特徴とする請求項１記載の記録媒体。
【請求項３】
前記ＩＣタグに記録される前記図面情報の他の一部の情報は、前記図面情報に関する注記情報であることを特徴とする請求項１記載の記録媒体。
【請求項４】
図面情報の一部の情報である図形情報が記載された用紙にこの図形情報に対応付けた識別コードが記録されたＩＣタグが貼付けられた記録媒体における前記ＩＣタグに記録された前記識別コードを読取る読取装置と、
前記識別コードに対応付けられた前記図面情報の他の一部の情報が記録される記録装置と、
前記識別コードを前記読取装置により読取った場合に前記識別コードに対応付けて前記サーバに記録されている前記図面情報の他の一部の情報が表示される表示装置と、
前記読取装置と前記サーバと前記表示装置とを制御する制御装置と、
を備えることを特徴とする図面情報管理システム。
【発明の詳細な説明】
【技術分野】
【０００１】
本発明は、記録媒体及び図面情報管理システムに関し、特に、設計図面等に関する図面情報を記録する記録媒体及び記録媒体に記録された図面情報を表示させる表示装置を備える図面情報管理システムに関する。
【背景技術】
【０００２】
設計図面等の図面情報には、設計対象となる製品の外観を現わす図形情報と、当該製品を構成する個々の部品に関する情報を現わす構成情報と、注意事項や組立手順等を現わす注記情報とが含まれ、これらの全ての情報が用紙上に記載されていることが一般的である。技術者がこれらの情報が記載された用紙を見ることにより、設計対象物である製品の概要を理解することができる。
【０００３】
近年では、図面情報の保管に際して、用紙上に記載された図面情報をスキャナで読取り、電子データに変換して保管する場合が増えている。
【０００４】
このような図面情報は重要な機密事項であり、各企業は、図面情報の漏洩を防止するための様々な対策を講じることが求められている。
【発明の開示】
【発明が解決しようとする課題】
【０００５】
しかし、図面情報の漏洩を防止するための対策は難しく、用紙上に記載されている図面情報は複写されて外部に持ち出される場合がある。また、電子データに変換して保管されている図面情報であっても、フロッピー（登録商標）ディスク等の磁気媒体や、ＣＤ−ＲＯＭ等の光学媒体等に複写されて外部に持ち出される場合がある。
【０００６】
本発明はこのような課題を解決するためになされたもので、その目的は、図面情報が直接又は複写されて外部に持ち出された場合でも、図面情報の全てが漏洩することを防止することができる記録媒体及び図面情報管理システムを提供することである。
【課題を解決するための手段】
【０００７】
本発明の実施の形態に係る第１の特徴は、記録媒体において、図面情報の一部の情報である図形情報が記載された用紙と、前記用紙に貼付けられ、前記図面情報の他の一部の情報が記録されたＩＣタグと、を備えることである。
【０００８】
本発明の実施の形態に係る第２の特徴は、図面情報管理システムにおいて、図面情報の一部の情報である図形情報が記載された用紙にこの図形情報に対応付けた識別コードが記録されたＩＣタグが貼付けられた記録媒体における前記ＩＣタグに記録された前記識別コードを読取る読取装置と、前記識別コードに対応付けられた前記図面情報の他の一部の情報が記録される記録装置と、前記識別コードを前記読取装置により読取った場合に前記識別コードに対応付けて前記サーバに記録されている前記図面情報の他の一部の情報が表示される表示装置と、前記読取装置と前記サーバと前記表示装置とを制御する制御装置と、を備えることである。
【発明の効果】
【０００９】
本発明によれば、用紙に記載された図面情報の一部の情報である図形情報が複写されて外部に持ち出されても、ＩＣタグに記録されている図面情報の他の一部の情報、又は、ＩＣタグに記録されている識別コードに対応付けて記録装置に記録されている図面情報の他の一部の情報については漏洩を防止することができ、図面情報についての機密保持性能を高めることができる。
【発明を実施するための最良の形態】
【００１０】
以下、本発明の実施の形態を図面を用いて説明する。
【００１１】
（第１の実施の形態）
本発明の第１の実施の形態に係る記録媒体１は、図１に示すように、図面情報の一部の情報である図形情報２が記載された用紙３と、用紙３に貼付けられるＩＣタグ４とを備えている。
【００１２】
ＩＣタグ４には、図面情報の他の一部の情報である構成情報（ＢＯＭ；Bill Of Material）５と図面情報の他の一部の情報である注記情報６との双方、又は、いずれか一方が記録されている。図２は、ＩＣタグ４に記録されている構成情報５と注記情報６との内容を示す説明図である。構成情報５は、例えば、図形情報２中に含まれる各部品についての構成を示す情報である。注記情報６は、例えば、図面情報に関する注意事項、図面情報に関する各種のノウハウ、組立手順等を示す情報である。
【００１３】
記録媒体１の作成手順は以下の通りである。用紙３に図形情報２を記載し、図形情報２が記載された用紙３に構成情報５や注記情報６を記録したＩＣタグ４を貼付けることにより記録媒体１が作成される。
【００１４】
ＩＣタグ４への構成情報５や注記情報６の記録は、パーソナルコンピュータ等により構成情報５や注記情報６の入力を行い、入力した情報を専用の書込装置を用いてＩＣタグに書き込むことにより行う。
【００１５】
このような構成において、記録媒体１に記録されている図面情報を利用する場合には、図３に示すように、ＩＣタグ４をパーソナルコンピュータ７に接続されている専用の読取装置８により読取り、読取ったＩＣタグ４に記録されている構成情報５や注記情報６をパーソナルコンピュータ７の表示装置９に表示させる。表示装置９に表示された構成情報５や注記情報６と、用紙３に記載されている図形情報２とを見ることにより、図面情報の全てを見ることができ、記録媒体１に記録されている図面情報を利用することができる。
【００１６】
記録媒体１に記録されている図面情報の一部の情報である図形情報２は用紙３に記載されているが、図面情報の他の一部の情報である構成情報５や注記情報６はＩＣタグ４に記録されているので、記録媒体１が外部に持ち出され、又は、記録媒体１が複写されて外部に持ち出されても、ＩＣタグ４に記録されている構成情報５や注記情報６を簡単に読取ることができない。このため、図面情報の全てが簡単に漏洩するということを防止することができる記録媒体１を得ることができる。
【００１７】
（第２の実施の形態）
本発明の第２の実施の形態に係る図面情報管理システムを、図４に基づいて説明する。なお、第１の実施の形態において説明した構成要素と同じ構成要素には同じ符号を付け、重複する説明は省略する。
【００１８】
第２の実施の形態に係る図面情報管理システムは、読取装置８と、記録装置であるサーバ１０と、表示装置９と、制御装置であるパーソナルコンピュータ７とを備えている。
【００１９】
図面情報管理システムにより図面情報を管理される記録媒体１Ａは、図面情報の一部の情報である図形情報２が記録された用紙３に、この図形情報２に対応付けた識別コード（図示せず）が記録されたＩＣタグ４Ａを貼付けて形成されている。
【００２０】
読取装置８は、パーソナルコンピュータ７に接続されている。読取装置８は、パーソナルコンピュータ７からの制御によりＩＣタグ４Ａに記録されている識別コードを読取る。
【００２１】
サーバ１０には、図面情報の他の一部の情報である構成情報５や注記情報６が識別コードに対応付けて記録されている。サーバ１０は、ネットワーク１１を介してパーソナルコンピュータ７に接続されている。サーバ１０からは、パーソナルコンピュータ７からの制御により、記録されている構成情報５や注記情報６がネットワーク１１を介してパーソナルコンピュータ７側に呼び出される。
【００２２】
表示装置９は、パーソナルコンピュータ７に接続されている。表示装置９には、パーソナルコンピュータ７からの制御によりサーバ１０から呼び出された構成情報５や注記情報６が表示される。
【００２３】
このような構成において、記録媒体１Ａに記録されている図面情報を利用する場合には、用紙３に貼付けられているＩＣタグ４Ａの識別コードを読取装置８により読取る。ＩＣタグ４Ａの識別コードが読取装置８により読取られると、読取られた識別コードに対応する構成情報５や注記情報６がサーバ１０から呼び出され、呼び出された構成情報５や注記情報６が表示装置９に表示される。表示装置９に表示された構成情報５や注記情報６と、用紙３に記載されている図形情報２とを見ることにより、図面情報の全てを見ることができ、記録媒体１Ａに記録されている図面情報を利用することができる。
【００２４】
このように、記録媒体１Ａに記録されている図面情報の一部の情報である構成情報５や注記情報６は、ＩＣタグ４Ａの識別コードを読取り、さらに、識別コードに対応する構成情報５や注記情報６をサーバ１０から呼び出さなければ見ることができない。
【００２５】
したがって、記録媒体１Ａが外部に持ち出され、又は、記録媒体１Ａが複写されて外部に持ち出されても、図面情報の一部の情報である構成情報５や注記情報６を簡単には読取ることができない。このため、この図面情報管理システムを採用することにより、記録媒体１Ａ上の図面情報の全てが簡単に漏洩するということを防止することができる。
【図面の簡単な説明】
【００２６】
【図１】本発明の第１の実施の形態に係る記録媒体を示す正面図である。
【図２】ＩＣタグに記録される図面情報の一部の情報である構成情報や注記情報の内容を示す説明図である。
【図３】記録媒体に記録された図面情報を利用する場合の利用形態を示す説明図である。
【図４】本発明の第２の実施の形態に係る図面情報管理システムを説明する概略図である。
【符号の説明】
【００２７】
１      記録媒体
１Ａ    記録媒体
２      図形情報
３      用紙
４      ＩＣタグ
４Ａ    ＩＣタグ
５      構成情報
６      注記情報
７      制御装置
８      読取装置
９      表示装置
１０      記録装置
【図１】
2007179440.tif 000003
【図２】
2007179440.tif 000004
【図３】
2007179440.tif 000005
【図４】
2007179440.tif 000006